(57)【要約】      （修正有）【課題】菓子容器として安価に製造出来かつ、菓子を消費した後にも玩具として楽しめる立体式の自動車模型を提供する。【解決手段】自動車のトラックを模した収容ケースを、紙製や合成樹脂製などのシート状体を折り成した台車部３と運転席部２と荷室部１との３つの独立した箱体により構成する。各々の箱体は印刷可能な平面または曲面で構成されており、前記荷室部の箱体は上面の折り目から少なくとも片側に開閉自在なウィング状の蓋を備えており、この蓋を閉じた時に蓋の下縁部が前記台車部の側面から起立した起立片の内側に位置するように構成した。菓子等は、荷室部を構成する箱体内に収容する。【選択図】図１
0003171768.tif 000002
【実用新案登録請求の範囲】
【請求項１】
自動車のトラックを模した収容ケースが、紙製や合成樹脂製などのシート状体を折り成した台車部と運転席部と荷室部との３つの独立した箱体から構成され、各々の箱体は印刷可能な平面または曲面で構成されており、前記荷室部の箱体は上面の折り目から少なくとも片側に開閉自在なウィング状の蓋を備えており、この蓋を閉じた時に蓋の下縁部が前記台車部の側面から起立した起立片の内側に位置するように構成されている、菓子等の収容ケース。
【請求項２】
各々の前記箱体に、実際のトラックの対応する部位の写真を印刷して成る、請求項１に記載の菓子等の収容ケース。
【請求項３】
前記荷室部の箱体が、菓子等を詰めるための袋を備えている、請求項１に記載の菓子等の収容ケース。
【考案の詳細な説明】
【技術分野】
【０００１】  この考案は、荷室部を有してこの中にチョコレートなどの菓子やぬいぐるみなどのおもちゃを収容することが出来る、自動車のトラックを模した収容ケースに関する。
【背景技術】
【０００２】  菓子やおもちゃなどの物品を荷室部に収納することが出来るような、トラックの展開部品から折紙式に組み立てる包装容器を提供したいのであるが、トラックは大まかに台車部と運転席部と荷室部とから成る複雑な形状を呈するため、台車部と運転席部と荷室部とが一繋がりである展開部品を設計することが非常に困難である。【０００３】  このような困難性を克服するためには、例えば実用新案登録第３０４１１７７号の菓子包装用容器のように容器そのものは従来通りの厚紙製の箱にしてこの中に菓子を納めるようにするも、この容器の蓋の内側に、折紙式組立の自動車の展開部品の輪郭を、鋏で切り抜くことが出来るようにカットラインとして形成しておくものが提案されている。カットラインで切る抜かれた展開部品は、指示通りに谷折り山折りを行うことで、立体式の自動東模型を組み立てることが出来る。このようにして菓子の付加価値が高まり、購買意欲が喚起される。
【先行技術文献】
【特許文献】
【０００４】
【特許文献１】実用新案登録第３０４１１７７号公報
【考案の概要】
【考案が解決しようとする課題】
【０００５】  しかしながらこのような迂回手段ではなく、立体式の自動車模型を菓子容器としてその中に菓子を納めることが可能な、そして菓子を消費した後にも自動車模型として楽しめるような、そうした収容ケースを容易に製造することが出来るようであれば素晴らしいことであり且つ販売上も効果的なインセンティブとなり得る。またこのことは単に菓子に止まらずおもちゃや化粧品などの幅広い物品に適用出来るようになるはずである。この考案は上述したような問題点を解決することを課題とする。
【課題を解決するための手段】
【０００６】  この課題は、自動車のトラックを模した収容ケースが、紙製や合成樹脂製などのシート状体を折り成した台車部と運転席部と荷室部との３つの独立した箱体から構成され、各々の箱体は印刷可能な平面または曲面で構成されており、前記荷室部の箱体は上面の折り目から少なくとも片側に開閉自在なウィング状の蓋を備えており、この蓋を閉じた時に蓋の下縁部が前記台車部の側面から起立した起立片の内側に位置するように構成されている、菓子等の収容ケースとすることによって達成される。なお前記荷室部の少なくとも一部を透明に構成したものとすることが出来る。なおウィング状の蓋などは、湾曲させることで平面だけでなく曲面を表現する設計が可能である。【０００７】  台車部と運転席部と荷室部とは各々独立した箱体であるから、各々の箱体の製造は極めて容易であると共に、これ等を組み合わせて接着し一体化することも簡単である。従って製造コストが安くつく。なお箱体であれば印刷が容易であって仕上がりも綺麗に出来ると言う特長がある。台車部と運転席部と荷室部とを独立して印刷すれば良い。【０００８】  次に、各々の前記箱体に、実際のトラックの対応する部位の写真を印刷して成るものとすることが出来る。上述したようにこの考案は印刷が容易であるから、写真を印刷することもまた容易である。写真であれば実際のトラックを実写したものが使用可能であることから、その仕上がりはまるで本物のトラックのミニチュアのようである。【０００９】  次に、前記荷室部の箱体が菓子等を詰めるための袋を備えているものとすることが出来る。この袋に詰められた菓子等が荷室部内にあって、前記上面の折り目からウィング状の蓋を開けることで外部から見ることが出来るようになる。なお袋が透明であればこの袋に詰められた菓子等を透視することが可能である。
【考案の効果】
【００１０】  上述したように台車部と運転席部と荷室部とを独立させることで、各々の箱体が単純な形状のものとなり各々製造が容易で仕上がりも綺麗に出来るため、この収容ケースは全体としても製造が簡単でコストが安く美麗であると言う効果を奏する。なお荷室部の少なくとも一部または全部が透明であると、収納物品を外から見ることが出来るため、収納物品の確認が可能となり、購買意欲を高めるのに更に好都合である。
【図面の簡単な説明】
【００１１】
【図１】  実施例１の使用状態の説明図である。
【図２】  実施例１の荷室部を展開した状態を表す説明図である。
【図３】  実施例１の運転席部を展開した状態を表す説明図である。
【図４】  実施例１の台車部を展開した状態を表す説明図である。
【図５】  実施例２の使用状態の説明図である。
【図６】  実施例２の荷室部の説明図である。
【考案を実施するための形態】
【００１２】  以下２つの実施例を図面に基づいて説明するが、この考案はこれ等の実施例にのみ限定されるものではない。
【実施例１】
【００１３】  図１乃至図４で実施例１のトラックを模した菓子の収容ケースを説明する。図１は各々箱状の荷室部１、運転席部２、台車部３を接着してトラック様の厚紙製の収容ケースとしたものであり、台車部３の上の前方に運転席部２を後方に荷室部１を配置して成る。なお何れの箱もその表面にトラックの対応箇所のイラストが印刷されている。【００１４】  図２は上記荷室部１の展開図であり、符号１５が指し示す谷折り線で谷折りする以外は符号１４の山折り線で代表される山折り線で山折りされ、側壁１６の両端部ののりしろ片１００，１０３の上に各々後壁１８，１０１が折り重ねられ接着され、のりしろ片１９，１０２が各々底部１７の端部の内側に接着されて、荷室部１の箱が形成されている。この状態で天部１２はその中央部の谷折り線１５からおよそ半分のウィング部１３が、これに続く蓋部１０（上記側壁１６と対を為す部位である）と共に上方に翼を拡げるように開放することが可能である。またウィング部１３と蓋部１０とを閉じて、蓋部１０の差し込み部１１を底部１７に挿し入れることでこの荷室部１の箱を閉じることが出来る。蓋部１０が開閉出来るこの荷室部１は菓子箱として用いられる。すなわちこれ以外の運転席部２、台車部３は一種の飾りなのである。【００１５】  図３はその運転席部２の展開図であり、全ての山折り線で山折りされ、ボンネット２０とフロントウィンドウ２１の上にルーフ２６が設けられ、左右に各々ドア２２，２４及びドアウィンドウ２３，２５が設けられ、背後に後壁２７が設けられている。これ等以外の各片はのりしろ部である。【００１６】  図４は台車部３の展開図であり、シャーシ３０は両側の山折り線３４で山折りされる際に、この山折り線３４に沿って設けた左右８箇所の半円弧状の切欠部３４によって（但しこの部位には山折り線３４は付けられていない）、側板３１，３１に地続きな左右８輪のタイヤ３６が形成されこれ等が後の脚になる。さらに一側の側板３１には荷台３７が連続しており、この荷台３７を他側の側板３１にのりしろ片３３で接着すると筒状体となる。さらに各々の側板３１，３１の両側のフラップ３２を内側に折り込んで、荷台３７の両側の蓋部３８とそれに続くフラップ３９とを内側に折り込み、フラップ３９を上記筒状体に挿し入れることでこの台車部３の箱を閉じることが出来る。荷台３７には上述した運転席部２と荷室部１とが接着されてトラックの形状が完成し、これ等は上記８輪のタイヤ３６が脚となって支持される。なお台車部３の軽量化のために外から見えにくくなるシャーシ３０に３つの円形の抜き部を設けた。【００１７】  こうして荷室部１の蓋部１０を開閉することで、荷室部１への菓子の出し入れが出来、また蓋部１０を開いた状態にして荷室部１内に納めた菓子を見せるディスプレーが可能になる。なお荷室部１の一部に窓を開けてこの窓に透明なセロファン紙を張るようにしても内部の菓子を見せることが出来る。また荷室部１等の箱の素材は厚紙に限定されず、例えば透明合成樹脂フィルムを用いることが可能である。
【実施例２】
【００１８】  図５及び図６で実施例２のトラックを模した菓子の収容ケースおよびこの収容ケースを用いた菓子を説明する。ここで特徴的なのは、荷室部４、運転席部５、台車部６に、荷室部を有する実際のトラックの各々の部位の写真を撮って印刷している点である。これにより菓子ケースであるながらも細部に至るまで実にリアルなトラックを再現することが可能になっている。また上述の実施例１では荷室部１の蓋部１０を閉じる際に差し込み部１１を底部１７に挿し入れることでこの荷室部１の箱を閉じることが出来るように構成している。荷室部の蓋部を閉じ得るようにする設計は任意であるが、簡単に開閉出来る特徴的な構成例としてこの実施例２を説明する。【００１９】  厚紙製の台車部６の荷台６１と両側の側板６０との間の山折り線から荷台６１側に向けて、各々切欠部を設けることにより（切欠部は図示しないがこの部位には山折り線は設けられていない）、台車部６の組み立て時に両側の側板６０から地続きの立ち上げ片６２が立ち上がるようになっている。図５では片側の立ち上げ片６２が表れている。【００２０】  一方、上記台車部６に載置する荷室部４は、実施例１と同様に側壁４６に続く天部４２がその中央部に設けた谷折り線４５からウィング部４３がこれに山折り線４４で続く蓋部４０と共に上方に翼を拡げるように開放し得るように構成されている。ここで実施例２に特徴的な点は、天部４２には２本の平行な谷折り線４５が設けられており、ここから左右におよそ半分ずつのウィング部４３が両の翼を拡げるように開放されるように設けられていることである（片側は図示せず）。このように構成された台車部６の底部４７の両側に於いて、２つの切欠部４８とその間に設けた山折り線４９とにより、この部位に立ち上げ片４００が立ち上がるように成されている（図６）。【００２１】  そして上記立ち上げ片６２と立ち上げ片４００とは厚紙一枚の隙間が出来るように平行に設けられており、この重なり具合の様子は図５に、実線の立ち上げ片６２と鎖線の立ち上げ片４００として表されている。従ってこの荷室部４の両側の蓋部４０の各々の下縁部４１は上記立ち上げ片６２と立ち上げ片４００との間に挿し入れることでこの荷室部４の箱を容易に閉じることが出来る。【００２２】  なお荷室部４内に鎖線で表したものは、中に菓子を詰めて口を閉じた合成樹脂製の透明な菓子袋である。上述の何れか一側のまたは両側のウイング部４３および蓋部４０を開放することによって、荷室部４内に納めた菓子を見せるディスプレーが可能である。
【産業上の利用可能性】
【００２３】  荷室部には、チョコレートなどの菓子やぬいぐるみなどのおもちゃだけでなく、化粧品やハンドタオルなど任意のものを納めることが可能である。
【符号の説明】
【００２４】１    荷室部          １０  蓋部        １１  差し込み部      １２  天部
１３  ウイング部      １４  山折り線    １５  谷折り線        １６  側壁
１７  底部            １８  後壁        １９  のりしろ片      １００のりしろ片
１０１後壁            １０２のりしろ片  １０３のりしろ片      ２    運転席部
２０  ボンネット      ２１  フロントウィンドウ                ２２  ドア
２３  ドアウィンドウ  ２４  ドア        ２５  ドアウィンドウ  ２６  ルーフ
２７  後壁            ３    台車部      ３０  シャーシ        ３１  側板
３２  フラップ        ３３  のりしろ片  ３４  山折り線        ３５  切欠部
３６  タイヤ          ３７  荷台        ３８  蓋部            ３９  フラップ
４    荷室部          ４０  蓋部        ４１  下縁部          ４２  天部
４３  ウイング部      ４４  山折り線    ４５  谷折り線        ４６  側壁
４７  底部            ４８  切欠部      ４９  山折り線        ４００立ち上げ片
５    運転席部        ６    台車部      ６０  側板            ６１  荷台
６２  立ち上げ片      ７    菓子袋
【図１】
0003171768.tif 000003
【図２】
0003171768.tif 000004
【図３】
0003171768.tif 000005
【図４】
0003171768.tif 000006
【図５】
0003171768.tif 000007
【図６】
0003171768.tif 000008